(57)【要約】【課題】クリーニング用の衣類等を自動的に識別し、洗濯工場での工程管理、仕分け作業及び在庫管理等に使用される耐水性、耐溶剤性、耐熱性に優れた一体構造のクリーニング用ＩＣタグを提供することを目的とする。【解決手段】少なくとも絶縁基材にＩＣチップと無線通信用のアンテナコイルとを実装してなるＩＣタグインレット２０と、トレー１０と、埋込樹脂３０とで構成されており、トレー１０の収納部にＩＣタグインレット２０をセットし、液状の樹脂を流し込んで埋込樹脂３０を形成して一体化構造としたことを特徴とするクリーニング用ＩＣタグであり、ＩＣタグインレット２０の中央部に開口部が設けられている。【選択図】図１
2006095153.tif 000002
【特許請求の範囲】
【請求項１】
少なくとも絶縁基材（２１）にＩＣチップ（２６）と無線通信用のアンテナコイル（２５）とを実装してなるＩＣタグインレット（２０）と、取り付け部（１１）と側壁（１２）と収納部（１３）とを有するトレー（１０）と、埋込樹脂（３０）とで構成されてなるクリーニング用ＩＣタグであって、前記トレー（１０）の収納部（１４）に前記ＩＣタグインレット（２０）をセットし、液状の樹脂を流し込んで前記埋込樹脂（３０）を形成して一体化構造としたことを特徴とするクリーニング用ＩＣタグ。
【請求項２】
前記ＩＣタグインレット（２０）の中央部に開口部（２２）を設けたことを特徴とする請求項１に記載のクリーニング用ＩＣタグ。
【請求項３】
前記トレー（１０）の収納部（１３）を粗面化処理したことを特徴とする請求項１または２に記載のクリーニング用ＩＣタグ。
【請求項４】
前記トレー（１０）の収納部（１３）に接着補強層を設けたことを特徴とする請求項１乃至３のいずれか一項に記載のクリーニング用ＩＣタグ。
【請求項５】
前記トレー（１０）の周辺に衣類等へとりつけるための取り付け部（１１）を設けたことを特徴とする請求項１乃至４のいずれか一項に記載のクリーニング用ＩＣタグ。
【発明の詳細な説明】
【技術分野】
【０００１】
本発明は、クリーニング用の衣類等に取り付けるクリーニング用ＩＣタグに関し、特に、クリーニング用の衣類等を自動的に識別し、洗濯工場での工程管理、仕分け作業及び在庫管理等に使用される耐水性、耐溶剤性、耐熱性に優れたクリーニング用ＩＣタグに関する。
【背景技術】
【０００２】
近年、商品や荷物などの物品に取り付けて当該物品の識別・管理を行うタグとして、外部からの電波通信により各種データの書き込み、読みとりを非接触で行うことができるデータキャリアシステムを内蔵したＲＦ（Radio Frequency）ＩＤタグを用いた個別認識システムが知られており、物流、流通、ＦＡ（Factory automation）で扱われる商品や製品、荷物などの物品の管理、或いは固有の識別番号など個体識別情報を用いて真偽判別や流通経路などの特定するなどのトレーザビリティ、セキュリティにも広く使われるようになってきている。
【０００３】
特に、顧客から預かったクリーニング用の衣類等の情報（依頼日、依頼主、衣類の内容、返却日、クリーニングに対する要望等）を記録し、洗濯工場に伝達し、洗濯が終わった後衣類等を顧客へ返却するまでの一連の作業をクリーニング用の衣類等に取り付けた識別装置にて管理することが行われている（例えば、特許文献１参照。）。
【０００４】
しかしながら、上記識別装置では、予め識別装置を収納するための袋状のフィルム性容器を衣類等の所定の場所に取り付けた後識別装置をフィルム性容器に収納することが行われている。
このように、識別装置と識別装置を入れる収納容器が別々になっていると、収納容器に識別装置（データキャリア）を入れた後両端開口部を接着、縫いつけなどで封止しているが、封止のための手間がかかること及び接着、縫いつけかたによっては耐水性、耐溶剤性に問題が発生することがある。
【特許文献１】特開平１１−１８０５４５号公報
【発明の開示】
【発明が解決しようとする課題】
【０００５】
本発明は、クリーニング用の衣類等を自動的に識別し、洗濯工場での工程管理、仕分け作業及び在庫管理等に使用される耐水性、耐溶剤性、耐熱性に優れた一体構造のクリーニング用ＩＣタグを提供することを目的とする。
【課題を解決するための手段】
【０００６】
本発明において上記課題を解決するために、まず請求項１においては、少なくとも絶縁基材２１にＩＣチップ２６と無線通信用のアンテナコイル２５とを実装してなるＩＣタグインレット２０と、取り付け部１１と側壁１２と収納部１３とを有するトレー１０と、埋込樹脂３０とで構成されてなるクリーニング用ＩＣタグであって、前記トレー１０の収納部１３に前記ＩＣタグインレット２０をセットし、液状の樹脂を流し込んで前記埋込樹脂３０を形成して一体化構造としたことを特徴とするクリーニング用ＩＣタグとしたものである。
【０００７】
また、請求項２においては、前記ＩＣタグインレット２０の中央部に開口部２２を設けたことを特徴とする請求項１に記載のクリーニング用ＩＣタグとしたものである。
【０００８】
また、請求項３においては、前記トレー１０の収納部１３を粗面化処理したことを特徴とする請求項１または２に記載のクリーニング用ＩＣタグとしたものである。
【０００９】
また、請求項４においては、前記トレー１０の収納部１３に接着補強層を設けたことを特徴とする請求項１乃至３のいずれか一項に記載のクリーニング用ＩＣタグとしたものである。
【００１０】
さらにまた、請求項５においては、前記トレー１０の周辺に衣類等へ取り付けるためのの取り付け部１１を設けたことを特徴とする請求項１乃至４のいずれか一項に記載のクリーニング用ＩＣタグとしたものである。
【発明の効果】
【００１１】
本発明のクリーニング用ＩＣタグを衣類等に取り付けて、クリーニング等の一連の作業を行うことにより、クリーニング用衣類等の識別、管理、仕分け作業の自動化が可能となる。
また、本発明のクリーニング用ＩＣタグは、耐水性、耐溶剤性、耐熱性に優れているため、洗濯作業中、洗濯作業後のＩＣタグの認識作業を安定した状態で行うことができる。
【発明を実施するための最良の形態】
【００１２】
図１は、本発明のクリーニング用ＩＣタグの一実施例を示す説明図である。
図１（ａ）は、本発明のクリーニング用ＩＣタグ１００の平面図を、図１（ｂ）は、（ａ）の本発明のクリーニング用ＩＣタグ１００をＡ−Ａ’線で切断した模式構成断面図をそれぞれ示す。
図２は、トレイの一実施例をの一実施例を示す説明図である。
図２（ａ）は、トレイ１０の平面図を、図２（ｂ）は、トレイ１０をＡ−Ａ’線で切断した模式構成断面図をそれぞれ示す。
図３は、ＩＣタグインレットの一実施例を示す説明図である。
図３（ａ）は、ＩＣタグインレット２０の平面図を、図３（ｂ）は、ＩＣタグインレット２０をＡ−Ａ’線で切断した模式構成断面図をそれぞれ示す。
【００１３】
本発明のクリーニング用ＩＣタグ１００は、取り付け部１１と側壁１２と収納部１３とからなるトレイ１０と（図２（ａ）及び（ｂ）参照）、絶縁基材２１上にアンテナコイル２５とＩＣチップ２６とからなるＩＣタグインレット２０と、埋込樹脂３０とで構成されており、トレー１０の収納部１３にＩＣタグインレット２０をセットし、液状の樹脂を流し込んで埋込樹脂３０を形成した一体化構造になっている。
【００１４】
トレイ１０は、ポリアミド樹脂、ポリエステル樹脂、シリコン樹脂、ポリスチレン樹脂、ポリフェニンエーテル系樹脂等からなる樹脂組成物と非導電性無機フィラーとを溶融混練してペレットを作製し、射出成型して、衣類等への取り付け部１１と側壁１２と収納部１３を有するトレー１０を作製する。
非導電性無機フィラーを混入することにより、トレー１０の耐熱性と、寸法安定性を向上させることができる。非導電性無機フィラーとしては、タルク、マイカ、ガラス繊維、シリカアルミナ、炭酸カルシュウム等が使用でき、配合量としては樹脂組成物１００重量部に対し３０〜６０重量部が好ましい。
【００１５】
また、請求項５に係わる発明では、本発明のクリーニング用ＩＣタグ１００に縫製等で取り付ける際取り付け易いように、トレー１０の周辺部に衣類等への取り付け部１１が設けられている。衣類等への取り付け部１１の構成としては、衣類等へ縫いつけ易いように、図４に示すような取り付け部１１の所定位置に溝１１ａを形成したものや、図５に示す
ような取り付け部１１の所定位置に孔１１ｂを形成したものがある。溝１１ａ及び孔１１ｂはトレー１０ａ及び１０ｂの成型時に作製される。
【００１６】
ＩＣタグインレット２０は、ポリエステル樹脂、エポキシ樹脂、ポリイミド樹脂等のフィルムもしくはシートからなる可撓性の絶縁基材２１上にアンテナコイル２５を形成し、ＩＣチップ２６を実装したものである。
アンテナコイル２５とＩＣチップ２６は電気的に接続されて共振回路を形成し、外部リーダ・ライタと個別識別情報のやりとりが出来るようになっている。
さらに、ＩＣタグインレット２０のほぼ中央部に矩形状の開口部２２が形成されている。この開口部２２の作用効果については、トレー１０の収納部１３にＩＣタグインレット２０をセットし、液状の樹脂を流し込む際にＩＣタグインレット２０と収納部との間に液状の樹脂が入り込み易くして、均一な樹脂被膜ができ易いようにしたものである。
【００１７】
アンテナコイル２５の形成方法としては、例えば、銅箔付きポリイミドテープの銅箔上にレジストパターンを形成し、レジストパターンをマスクにして塩化鉄液等からなる腐食液にて銅箔をエッチングして、レジストパターンを剥離処理して、絶縁基材２１上にアンテナコイル２５を形成する。ここで、アンテナコイル２５の両端の電極とＩＣチップのバンプ電極を位置合わせするために、ビルドアッププロセスにて絶縁層、ビア、導体配線を形成してアンテナコイルの一方の電極の橋渡しを行い、ＩＣチップの取り付け位置にアンテナコイル２５の両端の電極を揃えるための作業を行う。さらに、アンテナコイル２５の両端の電極上にニッケル、金皮膜を形成する。
アンテナコイルのサイズ（ターン数、幅、厚み等）は共振回路の設計がらみで適宜設定される。
【００１８】
アンテナコイル２５の別の形成方法としては、例えば、ポリイミドテープ等からなる絶縁基材２１上に、導電性ペーストをスクリーン印刷、インキジェット法等によりパターン印刷し、加熱硬化してアンテナコイル２５を形成する。ここで、アンテナコイル２５の両端の電極とＩＣチップバンプを位置合わせするために、ビルドアッププロセスにて絶縁層、ビア、導体配線を形成してアンテナコイルの一方の電極の橋渡しを行い、ＩＣチップの取り付け位置にアンテナコイル２５の両端の電極を揃える作業を行う。さらに、アンテナコイル２５の両端の電極上にニッケル、金皮膜を形成する。
アンテナコイルのサイズ（ターン数、幅、厚み等）は共振回路の設計がらみで適宜設定される。
【００１９】
アンテナコイル２５の別の形成方法としては、例えば、絶縁処理された導線にてループ状のコイルを作製し、このループ状のコイルをポリイミドテープ等からなる絶縁基材２１上に接着剤等により固定してアンテナコイル２５を形成する。ここで、アンテナコイル２５の両端の電極にはニッケル、金皮膜が形成されており、アンテナコイル２５の両端の電極位置はＩＣチップのバンプと同じピッチに形成してある。
【００２０】
絶縁基材２１上にアンテナコイル２５の電極とＩＣチップ２６のバンプとを電気的に接続するために、ＩＣチップ２６をフェイスダウンボンディングもしくはワイヤボンディング等により実装し、所定サイズに仕上げ加工して、開口部２２が形成されたＩＣタグインレット２０を作製する。
ここで、開口部２２は外形仕上げ加工時に型抜き等により形成したが、炭酸ガスレーザー、エキシマレーザー、ＵＶ−ＹＡＧレーザー加工機等のレーザー加工を用いても良い。
【００２１】
上記、トレー１０の収納部１３にＩＣタグインレット２０をセットし、トレー１０の収納部１３に液状の樹脂を流し込み、所定の温度で加熱硬化して埋込樹脂３０を形成してＩＣタグインレット２０をトレー内に樹脂封止し、本発明のクリーニング用ＩＣタグ１００
を得ることができる（図１（ａ）及び（ｂ）参照）。
ここで、液状の樹脂としては、シリコン樹脂、エポキシ樹脂、ポリイミド樹脂、フェノール樹脂、ポリウレタン樹脂、フラン樹脂、アニリン樹脂、ポリオレフィン系樹脂等が挙げられる。
【００２２】
ここで、トレー１０の収納部１３に開口部２２が形成されたＩＣタグインレット２０をセットし、トレー１０の収納部１３に液状の樹脂を流し込み、所定の温度で加熱硬化して埋込樹脂３０を形成してＩＣタグインレット２０をトレー内に樹脂封止した際のＩＣタグインレット２０と樹脂の挙動について説明する。
ここで、開口部を有しないＩＣタグインレット２０ａをトレー１０の収納部１３にセットし、トレー１０の収納部１３に液状の樹脂を流し込み、所定の温度で加熱硬化して埋込樹脂３０を形成してＩＣタグインレット２０をトレー内に樹脂封止した場合、図６に示すように、ＩＣタグインレット２０ａとトレー１０の収納部１３との間には、気泡もしくは空気層が形成され、クリーニング用ＩＣタグが加熱された場合気泡もしくは空気層が膨張し、埋込樹脂３０に亀裂が生じたりして、耐溶剤性が劣化したり、ＩＣタグの破損につながりかねない。
【００２３】
これに対し、請求項２に係る発明では、本発明のクリーニング用ＩＣタグに用いるＩＣタグインレット２０にはＩＣタグインレット２０のほぼ中央部に開口部２２が形成されているため、ＩＣタグインレット２０をセットし、トレー１０の収納部１３に液状の樹脂を流し込んだ際ＩＣタグインレット２０の周辺と開口部２２の周辺から液状の樹脂がほぼ均一にしみ込んだ状態となり、ＩＣタグインレット２０とトレー１０の収納部１３との間には樹脂層が形成され、ＩＣタグインレット２０とトレー１０の収納部１３との間には気泡等が発生することはない。
【００２４】
請求項３に係る発明では、埋込樹脂３０とトレー１０の収納部１３との間の接着強度を向上させるため、トレー１０の収納部１３を粗面化処理してある。
粗面化処理の方法としては、トレー１０を作製する金型の収納部１３に相当する面を予め荒らしておくとか、トレー１０の収納部１３をサンドブラスト法、液体ホーニング等が荒らすことが挙げられる。
また、請求項４に係る発明では、埋込樹脂３０とトレー１０の収納部１３との間の接着強度を向上させるため、トレー１０の収納部１３表面に接着補強層を形成したものである。接着補強層の作製方法としては、主材料としてポリエステル−イソシアネート、フェノール樹脂−ブチラール、フェノール樹脂−ニトロリルゴム、変性エポキシ樹脂、シリコン系ＲＴＶ等を用いた液状樹脂溶液をトレー１０の収納部１３に刷毛塗りするか、別途所定厚の接着層が形成された転写フィルムを作製しておき、転写フィルムの接着層をトレー１０の収納部１３に転写する等の方法で接着層を形成し、加熱硬化して、接着補強層を形成する。
接着補強層の厚みとしては０．５〜３μｍ程度である。
【実施例１】
【００２５】
まず、ゴムパウンドに架橋材や顔料を混ぜ、オーブンロールで加熱しながら厚み調整をして短冊状にカットする。この小片を射出成型機にて形成型し、溝１１ａを有する取り付け部１１、側壁１２、収納部１３からなるトレイ１０ａを作製した（図４（ａ）及び（ｂ）参照）。
さらに、収納部１３をサンドブラストにて粗面化処理を行った。
【００２６】
次に、１０〜１００μｍ厚のポリエステルフィルムからなる絶縁基材２１に接着材付の１６μｍ厚の銅箔を積層し、銅箔上にドライフィルムを貼着して感光層を形成し、パターン露光、現像等の一連のパターニング処理を行ってレジストパターンを形成した。レジス
トパターンをマスクにして塩化第２鉄からなるエッチング液にて銅箔をエッチングし、アンテナコイル２５を作製した。さらに、ビルドアッププロセスにて絶縁層、ビア、導体配線を形成してアンテナコイルの一方の電極の橋渡しを行い、アンテナコイルの両端電極にニッケル、金めっきを施したアンテナコイル２５を形成した
次に、ＩＣチップ２６をフェースダウンボンディングにて実装し、型抜きにて、外形サイズと開口部２２をを形成し、ＩＣタブインレット２０を作製した（図３（ａ）及び（ｂ）参照）。
【００２７】
次に、トレイ１０ａの収納部１３にＩＣタブインレット２０をセットし、シリコン樹脂、エポキシ樹脂、ポリイミド樹脂、フェノール樹脂、ポリウレタン樹脂、フラン樹脂、アニリン樹脂、ポリオレフィン系樹脂等のいずれかからなる液状樹脂を流し込み、所定の温度で加熱硬化して埋込樹脂３０を形成し、ＩＣタグインレット２０をトレー内に樹脂封止して、本発明のクリーニング用ＩＣタグ１００を得た。
【００２８】
本発明のクリーニング用ＩＣタグ１００をＹシャツ、ズボン、スカート、コート、ジャケット等のクリーニング物に取り付けてもらい、洗濯工場で洗濯作業を行った結果、洗濯前、洗濯中、選択後のリーダライタによる非接触によるＩＣタグの個別情報認識のやりとりが支障無く行えることが確認され、本発明のクリーニング用ＩＣタグ１００は充分耐水性、耐溶剤性、耐熱性を有することが確認された。
【図面の簡単な説明】
【００２９】
【図１】本発明のクリーニング用ＩＣタグの一実施例を示す説明図である。（ａ）は、本発明のクリーニング用ＩＣタグ１００を示す平面図である。（ｂ）は、（ａ）をＡ−Ａ’線で切断した模式構成断面図である。
【図２】本発明のクリーニング用ＩＣタグの構成部品であるトレイの一実施例を示す説明図である。（ａ）は、トレイ１０の平面図である。（ｂ）は、（ａ）をＡ−Ａ’線で切断した模式構成断面図である。
【図３】本発明のクリーニング用ＩＣタグの構成部品であるＩＣタグインレットの一実施例を示す説明図である。（ａ）は、ＩＣタグインレット２０の平面図である。（ｂ）は、（ａ）をＡ−Ａ’線で切断した模式構成断面図である。
【図４】本発明のクリーニング用ＩＣタグの構成部品であるトレイの他の実施例を示す説明図である。（ａ）は、トレイ１０ａの平面図である。（ｂ）は、（ａ）をＡ−Ａ’線で切断した模式構成断面図である。
【図５】本発明のクリーニング用ＩＣタグの構成部品であるトレイの他の実施例を示す説明図である。（ａ）は、トレイ１０ｂの平面図である。（ｂ）は、（ａ）をＡ−Ａ’線で切断した模式構成断面図である。
【図６】開口部を有しないＩＣタグインレット２０ａを用いたクリーニング用ＩＣタグの一実施例を示す説明図である。
【符号の説明】
【００３０】
１０、１０ａ、１０ｂ……トレイ
１１……取り付け部
１１ａ……溝
１１ｂ……孔
１２……側壁
１３……収納部
２０……ＩＣタグインレット
２０ａ……開口部を有しないＩＣタグインレット
２１……絶縁基材
２２……開口部
２５……アンテナコイル
２６……ＩＣチップ
３０……埋込樹脂
【図１】
2006095153.tif 000003
【図２】
2006095153.tif 000004
【図３】
2006095153.tif 000005
【図４】
2006095153.tif 000006
【図５】
2006095153.tif 000007
【図６】
2006095153.tif 000008